(57)【特許請求の範囲】
【請求項１】
鼻口部周囲を密着して覆うための立体形状マスクであって、布地に対してカップ状の立体形状を形成するための接合箇所は、切断されてから接合され、該接合により補強機能を有する十字状に交差する少なくとも２本の線状部分からなることを特徴とする布地製立体形状マスク。
【請求項２】
前記した交差する２本の線状部分に、さらに線状部分が付加されてあることを特徴とする請求項１記載の布地製立体形状マスク。
【請求項３】
前記布地がガーゼからなることを特徴とする請求項１または２の何れかに記載の布地製立体形状マスク。
【請求項４】
マスクを装着した際に、少なくとも鼻が触れる部分には接合箇所が設けられていないことを特徴とする請求項１〜３の何れかに記載の布地製立体形状マスク。
【請求項５】
布地が複数枚積層されていて、少なくともガーゼ間に通気性フィルターが装着されてあることを特徴とする請求項１〜４の何れかに記載の布地製立体形状マスク。
【発明の詳細な説明】
【０００１】
【発明の属する技術分野】
本発明は、産業用、医療用等の汚染物質防護、または、花粉症などの予防等物理的化学的生物的に汚染物質を防護するのに適した布地製立体形状マスクに関する。
【０００２】
【従来の技術および発明が解決しようとする課題】
従来マスクはフラットなガーゼ、不織布製が主流であった。これらは、多少、素材の伸縮性からフィットする部分ができるものの、フラットなものであるため鼻と頬の間や頬などに隙間が多く存在し、そこから汚染空気がリークして折角高性能なフィルターを内蔵しても効果が薄れていた。
また、呼吸時にマスクが顔に密着して不快感があったり、化粧している女性から化粧落ちするという不評問題もあった。
【０００３】
これを解決する方法として特開２０００−３１２７２４のように鼻の下あたりに支柱を立てたり、実開平７−４２６４６のように格子状のフレームを入れているものなどがあるが、支柱を立てるとかえって装着に不快感があるし、格子状のフレームの存在がかえって隙間が発生する可能性が出てくる。また、実用新案登録第３０６３１２１号のように、不織布２枚のシールによる立体マスクを構成する方法などが提案されているが、縦方向にはリブ構造があるものの横にはなく、呼吸時に立体がペコペコと大きく動いてしまい格好が悪いという欠点がある。
【０００４】
次いで、実用新案登録第３０４５９９５号には鼻の山のカーブにトレースしうる形状保持部材をインサートして鼻の部分からのリークを防ぐことが提案されているが、その他の部分からのリークに対しては無防備である。
顔の凹凸にフィットし、しかも汚染空気のリークを少なくするために、例えば、金型にメルトブロー法で立体形状を形成したものや、実開平６−６６７４７や特開２００１−３７８９４のようにフラットな熱融着繊維や不織布などを一体熱成形して立体形状を形成したものが提案されている。この場合、帯電加工したメルトブロー不織布などが熱成形時に引っ張られて目開きが大きくなり性能を保持できないし、そもそも熱をかけて成形すると折角帯電加工した物が飛んでしまうと言う欠点がある。
【０００５】
さらに、実開平７−７６５７、実用新案登録第２６０２７９号、実開平６−６４６５７、実開平５−５３６５７のようにフラットマスクと立体形状マスクとを折衷したものがある。これらの場合、金型代が必要でコストアップになる。また、立体形状の保持性は高いが逆にヘリの部分の剛性が高く、そのために顔の輪郭に沿わない部分があったり、コスレがひどく、はずした後にヘリの型がついてしまったりしていた。全体も重く成るため、マスクを装着していると徐々にずれてくるという問題もある。
【０００６】
さらに意匠登録第１１１４６５８号、意匠登録第１１１４６５７号のように、スロットを入れて立体形状を作り出す提案もあるが、立体形状を構成するためのスロットが強度上の弱点になってしまう。
このように、立体形状を有していて顔にフィットして汚染空気のリークを少なくした上に使用感もアップすることを満たすマスクが要求されていた。
そこで、顔の局面にフィットする立体形状で汚染空気のリークを少なくし、しかも立体形状を、特開２０００−３１２７２４の様な違和感のある柱や、実開平７−４２６４６の様な格子状フレームなしに、立体形状を保持する構造を持つ使用感の良いマスクを得るために鋭意研究を行ったところ、平面状の布に対して扇状の切り込みを入れた物を交差状に接合する際に、その接合線を接合のためでなく立体構造を保持する為の構造部分として利用することによって、上記課題を克服することに成功した。
【０００７】
【課題を解決するための手段】
上記課題を解決できる本発明による布地製立体形状マスクとしては、鼻口部周囲を密着して覆うための立体形状マスクであって、布地に対してカップ状の立体形状を形成するための接合箇所は、切断されてから接合され、該接合により補強機能を有する十字状に交差する少なくとも２本の線状部分からなることを特徴としている。
上記請求項１に記載されたマスクは、接合箇所は、切断されてから接合されているので、立体構造を保持する為の構造部分として用いられている。そして、接合箇所は十字状に交差する少なくとも２本の線状部分からなっていて、立体形状を支持補強する機能を発揮し、装着中に呼吸する度に膨らんだりする動きを防ぎ、カップ状の立体形状を崩さず、呼吸し易くてしかも汚染物質の進入を防止できるマスクを提供できることになる。
【０００８】
また、請求項１に従属する請求項２記載の本発明によると、交差する２本の線状部分のほかに、線状部分が付加されているので、立体形状のマスクとして接合箇所による支持補強機能を増強することができ、立体形状の保持性が良好となる。
【０００９】
さらに、請求項１または２に従属する請求項３に記載された本発明は、前記布地がガーゼからなることを特徴しており、カッブ状の立体形状を保持するのに適した布地として、ごわごわとした装着感をなくし、経糸と緯糸とで構成されたガーゼが好適であり、その中でも例えば４０Ｓ綿糸を使ったガーゼが糸の切込み本数の点からも立体形状を保持する上で好ましい。
【００１０】
また、請求項１〜３の何れかに従属する請求項４に記載された本発明によると、マスクを装着した際に、少なくとも鼻が触れる部分には接合箇所が設けられていないことを特徴としており、鼻に触れる部分の密着性を向上させ、さらに汚染物質のリークが抑制されたマスクを提供できることになる。
さらに、請求項１〜４の何れかに従属する請求項５に記載された本発明によると、布地が複数枚積層されていて、少なくともガーゼ間に通気性フィルターが装着されてあることを特徴しており、粒子状浮遊物質、バクテリア、ウィルス、花粉などを各種汚染物質の濾過効果をあげるのに好都合なマスクが提供できることになる。
【００１１】
【発明の実施の形態】
次いで、本発明の実施態様について、図を参照しながら以下に説明する。
図１は本発明によるマスクＭの一例を示す正面図、図２は側面図、図３は平面図、図４は底面図、図５は接合前で扇状の切込みを形成してある展開正面図である。
上記マスクＭは、ガーゼ等を複数層重ねた布製のものであり、全体としては、カップ状の立体形状をなすように、図５のように扇状の切込みＣを入れた布地ｍを縫製等にて接合箇所１を形成している。この接合箇所１は、カップ状の立体形状を支持補強する機能を有し、十字状に交差する２本の線状部分からなっている。
【００１２】
より詳しく述べると、上記マスクＭは、図５の展開正面図のようにカットされた４部片１０，２０，３０，４０を有する布地ｍをカップ状の立体形状になるように、４部片のカット端部１１，２１，３１，４１を交差点Ｐとして突き合わせて十字状等の交差する２本の線状部分に縫製等にて接合させて、図１〜３に示す接合箇所１を形成するものである。
図中の３は外周部、４は紐を示している。
【００１３】
なお、接合箇所１としては、バランスのとれた十字状等２本の線状部分のほかに、線状部分による接合箇所２と交差点Ｐ′Ｐ′を付加したものであってもよく(例えば図６および図７参照)、立体形状の支持補強機能をより増強できることになる。
図８はガーゼ等の布地を４層にして縫製した接合箇所の一例を拡大断面図にて示してある。
【００１４】
なお、何れのマスクＭにおいても、図１１に例示するごとく、マスクＭを装着した際に、少なくとも鼻が触れる部分Ｎには接合箇所１を設けないように接合箇所１を形成してあり、鼻に装着跡が残らないように配慮しておくものである。
なお、接合箇所１については、鼻が触れる部分Ｎ以外では接合長さは自由であり、例えば横方向の接合箇所１は外周部３に達するものであってもよい。
以下、順次マスクＭを形成する布製素材や、実施態様の変更について説明する。
【００１５】
よりよいマスクＭを提供するために下記のような布素材の検討を行った。
先ず、汚染空気のリークを抑えるには顔の形状に凹凸がある以上、形状は立体状にしないと隙間ができて汚染空気のリークが起きてしまうという問題があり、そのためにある程度伸縮性がある素材を使わないと多くの人間にとってフィット性があるマスクになりにくい。さらに吸湿性、皮膚刺激が少ないという条件を含めると、天然素材、例えば、綿や麻、ウール、木綿、絹などの植物性・動物性繊維を含んだものが素材として使うのが好ましい。天然繊維１００％でなくてもレーヨンやアクリル、ポリプロピレン、ポリエステル、などの化学繊維等を混紡したり、経糸／緯糸で使い分けたガーゼも使用できる。
【００１６】
糸の太さは特に制限はないが、太い繊維を使うとごわごわして装着感が悪くなるし、細いと立体構造を保持する為の強度を持たなくなる。逆に細いとソフトではあるものの、接合部分で立体構造を保持するための強度が出ない。そのため、いろいろと検討の結果、４０Ｓ綿糸を使ったガーゼの場合、９６本打ち込みが好適であることを見いだした。
使用する糸と打ち込み本数は接合部分で立体形状を保持できれば、できるだけソフトなほうが良い。
【００１７】
人間の顔の形状は立体的なので、平面状の素材から立体形状を作り上げるのには少なくとも２箇所以上の接線接合が必要であるが、２箇所では顔の凹凸にフィットするには難があるし、多数箇所では立体補強性は高まるが接合コストがかさむ割にはフィット性は格段に上がらない。従って４箇所〜６箇所程度にするのが最適であると考えた。それらの接合形態としては顔のセンターラインを縦線、左右の頬骨を結んだラインを横線とした十字形状を基本にした。
【００１８】
それは骨が下にあるところであることと、顔のなかで出っ張った所であるからであり、それらの部分の上にマスクの構造体がくることで、頬の肉が動いてもフリーな部分が追従してリークを防ぎ得るからである。
図示していないが周辺部に数ｍｍ程度の切り込みを入れて、顔とのフィット感が更に出るようにしても良い。
接合箇所１におけるカット面接合を行うのに関しては、ガーゼ素材が綿などの天然繊維の場合、テープ等の貼り付け、ミシンによる縫製、ホットメルトなどの接着剤、絡合テープ（登録商標マジックテープ）、ステープル等を使うことができる。
【００１９】
ガーゼ素材に化学繊維が含まれる場合は、ヒートシール、超音波ウェルダー、高周波ウェルダーなどを使用する方法でも構わないが、仕上がり、使用感の良さ、肌への刺激からみるとミシンによる縫製がよりよいと考えられる。
その接合部や周辺部で立体形状を保持する為に種々検討を加えたところ、４０Ｓ綿糸９６本打ちガーゼを使用した場合、４２／３スパン綿糸使用の場合ピッチ１０針／３cm以上で縫製すれば構造体として使用できることや、縫製時に補強材を組み込んだり、テープ状シートを貼り付けることによっても解決できることを導き出した。
【００２０】
これらの方法は単独でも良いし、組み合わせても構わない。
縫製の場合は、使用する糸は綿糸に限らず、アクリル、ポリオレフィン、ポリエステル、レーヨン等の化学繊維糸、麻や絹、ウールなどの植物・動物性繊維、化学繊維と天然繊維の組み合わせでも構わない。
同じ糸を使用することにはこだわらず、十字状の縫製部と周辺部の糸を変えたり縫製ピッチを変えるなどの用途にあわせて適当なものを選べばよい。
【００２１】
太い糸で縫製すると、縫製部分の強度が増すが、顔にふれる部分ではコスレなどが発生するため、十字状の縫製部は太い糸、周辺部は細い糸を使うなどの回避策を採らないといけなくなる。
逆に細い糸を使った場合、縫製部での強度が出なくなる可能性が発生する。
綿糸の場合、４２／３スパン綿糸が好適であった。
糸は材質や撚りなどによって使い分ければよい。
【００２２】
縫製ピッチは５針／３cm以上で縫製、さらには１０針／３cm以上で縫製するのが望ましい。これが粗いと空間ができて汚染空気がリークしてくるし、細かいと縫製コストが上がってしまう。
尚、縫製時に立体形状の保持を補助する為の支持補強部材をいれることも可能である。シート状や棒状のパイプ状の柔軟性のある素材、例えば、プラスチックロッド、パイプ、シート、フェルト、等を入れられる。図９に断面図として示す接合箇所１では、シート状の支持補強部材Ｓを使用した場合を示している。
【００２３】
テープ張り付けによる接合は、繊維に糊加工したものやシート状のプラスチックや紙、それらの複合体などにホットメルト加工したものやアクリル系やウレタン系などの粘着加工したもの等一般に知られているテープを使用して接合箇所１の強度を持たせ、縫製同等の機能を持たせることもできる。
接着剤による接合は例えば瞬間接着剤やホットメルト、溶融したプラスチック等で接合などが挙げられる。
【００２４】
絡合テープ（登録商標マジックテープ）は、モドリ止めのついた突起がたくさん構成されているが、それらとマスク素材を絡める方法であるし、ステープルは金属、プラスチックのステープルで接合部分をなす方法である。
各種ウェルダー熱溶融するプラスチックなどがマスク素材に含まれている必要があるが、接合部分の接線同士を溶融して接合する方法である。
また、マスクＭの素材間に通気性フィルターＦを介入させる場合については、一例を図１０に断面図として示してあり、マスクのガーゼ素材を複数枚重ねた中に、１枚もしくは複数枚の不織布、紙、連続気泡フォームなどで構成される各種シート状フィルターやハニカム状フィルターなどを入れることにより、例えば、花粉や粒子状浮遊物質、砂塵、黄砂、ウイルス、菌、カビ、悪臭、エアロゾル等の物質を濾過する機能を付加する事ができる。例えば、帯電加工したメルトブロー不織布を入れれば花粉や粉塵の除去機能が付与されるし、ウイルス吸着剤を２枚の不織布に挟み込んだり、バインダーと混合して塗布したりすれば、抗ウィルス効果が得られる。活性炭や消臭材を加工したフィルターを入れれば、介護用や作業用マスクとして利用できるようになる。
【００２５】
次いで、両サイドの紐４について述べると、耳にかける紐４は、一般にマスクなどで使用されている、ソフトなタッチのウーリーゴムや各種合成繊維のヒモ、ゴム紐、紙こより紐などが使用できる。種類は上記のものと限らずとも使用感さえ良ければ特にこだわらない。
紐４の取り付けについてはマスク本体の一箇所から取り出す方法や２箇所以上から取り出す方法があり、また、本数も一本の場合や複数の場合がある。更に、紐４のかけ方も頭の後ろを回す方法、頭の後ろでくくる方法、耳に紐４をかける方法等があるが、特に限定する必要はなく、その用途用途で好適な手段をとればよい。
【００２６】
本発明の実施例としては次のように示すが、この発明はこれらの実施例だけに限定されるものではない。
〈実施例１〉
まず、４０Ｓ綿糸−９６本打ちのガーゼ８枚をかさねた。そして、図示したような展開図に沿ってカットして４部片の積層体を得た。その交差部を４２／３スパン綿糸でピッチ１０針／３cmで立体ミシン縫製した。周辺部も４２／３スパン綿糸でかがり縫いを行い、耳の紐としてウーリーゴム紐を縫製で取り付けて、交差部分の縫製で立体形状を保持できる立体マスクを得た。
〈実施例２〉
４０Ｓ綿糸−９６本打ちのガーゼ８枚をかさねた。そして、図示したような展開図に沿ってカットして４部片の積層体を得た。その交差部に発泡ポリプロピレンシート（商品名：ミクロレン、積水化成品工業製）から短冊状にしたものとともに、４２／３スパン綿糸でピッチ１０針／３cmで立体ミシンを縫製した。周辺部も４２／３スパン綿糸でかがり縫いを行い、耳の紐としてウーリーゴム紐を縫製で取り付けて、交差部分の縫製部分と短冊状発泡ＰＰとで立体形状を保持できる立体マスクを得た。
〈実施例３〉
４０Ｓ綿糸−９６本打ちのガーゼ８枚を重ねた。そして、図示したような展開図に沿ってカットして４部片の積層体を得た。その交差部を４２／３スパン綿糸でピッチ１０針／３cmで立体ミシン縫製した。周辺部も４２／３スパン綿糸でかがり縫いを行い、耳の紐としてウーリーゴム紐を縫製で取り付けて、交差部分の縫製部分で立体形状を保持できる立体マスクを得た。
〈実施例４−１〉
まず、４０Ｓ綿糸−９６本打ちのガーゼ２枚とガーゼ２枚の間に帯電加工したポリプロピレン不織布（商品名：タピルス  ２０ｇ／ｍ2  東燃タピルス製）をはさんで積層体を得た。そして、図示したような展開図に沿ってカットして４部片の積層体を得た。その交差部を４２／３スパン綿糸でピッチ１０針／３cmで縫製した。周辺部も４２／３スパン綿糸でかがり縫いを行い、耳紐としてウーリーゴム紐を縫製で取り付けて、交差部分の縫製部分で立体形状を保持できる立体マスクを得た。
＜実施例４−２＞
４０Ｓ綿糸−９６本打ちのガーゼ２枚とガーゼ２枚の間に帯電加工したＰＰ不織布（商品名：タピルス  ２０ｇ／ｍ２、東燃タピルス製）をはさんで積層体を得た。そして、図示したような展開図に沿ってカットして４部片の積層体を得た。その交差部に発泡ポリプロピレン（商品名：ミクロレン、積水化成品工業製）の短冊状にしたもの）とともに４２／３スパン綿糸でピッチ１０針／３ｃｍで縫製した。周辺部も４２／３スパン綿糸でかがり縫いを行い、耳の紐としてウーリーゴム紐を縫製で取り付けて、交差部分の縫製部分と短冊状発泡ＰＰで立体形状を保持できる立体マスクを得た。
＜実施例４−３＞
４０Ｓ綿糸−９６本打ちのガーゼ２枚とガーゼ２枚の間に帯電加工したポリプロピレン不織布（商品名：タピルス  ２０ｇ／ｍ２、東燃タピルス製）をはさんで積層体を得た。そして、図示したような展開図に沿ってカットして４部片の積層体を得た。その交差部を４２／３スパン綿糸でピッチ１０針／３ｃｍで縫製した。その上からホットメルト加工した１０ｍｍ幅のポリエステル製包装用リボンを表側からアイロンがけしてを接合部を覆うようにした。周辺部も４２／３スパン綿糸でかがり縫いを行い、耳の紐としてウーリーゴム紐を縫製で取り付けて、交差部分の縫製部分と短冊状発泡ＰＰで立体形状を保持できる立体マスクを得た。
＜実施例４−４＞
４０Ｓ−９６本打ちのガーゼ２枚とガーゼ２枚の間に帯電加工したポリプロピレン不織布（商品名：タピルス  ２０ｇ／ｍ２、東燃タピルス製）をはさんで積層体を得た。そして、図示したような展開図に沿ってカットして４部片の積層体を得た。その交差部を４２／３スパン綿糸でピッチ１０針／３ｃｍで縫製した。周辺部も４２／３スパン綿糸でかがり縫いを行い、耳の紐としてウーリーゴムひもを縫製で取り付けて、交差部分の縫製部分で立体形状を保持できる立体マスクを得た。
【００２７】
【発明の効果】
本願請求項１〜３記載の発明によれば、軽く、しかも吸い込み時にカップ構造がつぶれにくく、呼吸が楽で、汚染物質の進入が少ないマスクが供給される。
【００２８】
本願請求項４記載の発明によれば、接合箇所でない部分が鼻と接してその部分が肌への密着性をあげ、さらに汚染物質のリークが抑えられたマスクが供給される。
本願請求項５記載の発明によれば、さらに粒子状浮遊物質、バクテリア、ウィルス、花粉など各種汚染物質の濾過効率をあげることができるマスクが提供できることになる。
【００２９】
これらによって、「リークの少なさ」と「使用感の良さ」を両立できるものが提供できる。副次的には、眼鏡をかけていても曇りにくく、マスクをしたままでも携帯電話の声がこもりにくいマスクを提供できることになる。
【図面の簡単な説明】
【図１】  正面図である。
【図２】  側面図である。
【図３】  平面図である。
【図４】  底面図である。
【図５】  接合前を示す展開正面図である。
【図６】  変更側の正面図である。
【図７】  展開正面図である。
【図８】  接合箇所の拡大断面図である。
【図９】  支持補強部材を入れた接合箇所の拡大断面図である。
【図１０】通気性フィルターを入れた場合の拡大断面図である。
【図１１】装着時の正面図である。
【符号の説明】
Ｍ    マスク
１０，２０，３０，４０    ４つの部片
Ｃ    切込み
Ｐ    交差点
１    接合箇所
２    付加した接合箇所
３    外周部
４    紐
Ｎ    鼻が触れる部分
Ｓ    支持補強部材
Ｆ    通気性フィルター
【図１】
0003719668.tif 000002
【図２】
0003719668.tif 000003
【図３】
0003719668.tif 000004
【図４】
0003719668.tif 000005
【図５】
0003719668.tif 000006
【図６】
0003719668.tif 000007
【図７】
0003719668.tif 000008
【図８】
0003719668.tif 000009
【図９】
0003719668.tif 000010
【図１０】
0003719668.tif 000011
【図１１】
0003719668.tif 000012